(57)【要約】【課題】筐体内に異物等が侵入できない構造を有する電池パックを提供する。【解決手段】筐体１２の外面部１２ｂから側面部１２ａに亘って形成され、操作部１４とロック爪１６とが互いに連結された状態でロック爪１６が側面部１２ａから突出可能に配設される凹部２５と、操作部１４及びロック爪１６をガイドするガイド部５１と、を備えている。ガイド部５１は、ロック爪１６の移動方向に交差する方向に対向する凹部２５の側壁間に架け渡されるブリッジ部５２を有する。ブリッジ部５２は操作部１４とロック爪１６との間に挟み込まれる。【選択図】図１
2009032613.tif 000002
【特許請求の範囲】
【請求項１】
電池及び基板が収納される筐体に、操作部と、この操作部に連動して進退移動するロック爪とが設けられた電池パックであって、
前記筐体の外面部から側面部に亘って形成され、前記操作部と前記ロック爪とが互いに連結された状態で前記ロック爪が前記側面部から突出可能に配設される凹部と、
前記操作部及び前記ロック爪をガイドするガイド部と、を備えている電池パック。
【請求項２】
前記ガイド部は、前記ロック爪の移動方向に交差する方向に対向する前記凹部の側壁間に架け渡されるブリッジ部を有し、
前記ブリッジ部は前記操作部と前記ロック爪との間に挟み込まれる請求項１に記載の電池パック。
【請求項３】
前記操作部及び前記ロック爪の一方には、連結爪が設けられ、前記操作部及び前記ロック爪の他方には、前記連結爪を係合させる爪受け部が設けられ、
前記連結爪は、前記ブリッジ部と前記凹部の側壁との間で前記爪受け部に係合されている請求項２に記載の電池パック。
【請求項４】
前記操作部又は前記ロック爪には、前記ブリッジ部の厚みに対応した間隔を形成するためのリブが設けられている請求項３に記載の電池パック。
【請求項５】
前記ガイド部は、前記ロック爪の移動方向に交差する方向に対向する前記凹部の側壁にそれぞれ突出する突起部を有し、
前記ロック爪には前記突起部に係合する鍔部が設けられている請求項１から４の何れか１項に記載の電池パック。
【請求項６】
前記ガイド部は、前記筐体に一体的に形成されている請求項１から５の何れか１項に記載の電池パック。
【請求項７】
前記ロック爪を前記側面部から突出する方向に付勢する付勢部材が設けられている請求項１から６の何れか１項に記載の電池パック。
【請求項８】
前記ロック爪には、前記付勢部材を収容可能な収容溝が設けられている請求項７に記載の電池パック。
【請求項９】
前記凹部の側壁には、前記ロック爪の移動方向に延び、かつ前記収容溝に挿入される突部が設けられ、
前記付勢部材は前記収容溝内でこの収容溝の壁部と前記突部との間に挟み込まれている請求項８に記載の電池パック。
【請求項１０】
前記筐体は、細長い形状に構成されるとともに、その長手方向の両側に前記凹部及び前記ガイド部が設けられ、
何れの凹部でも前記ロック爪が付勢部材によって側面部から突出する方向に付勢されている請求項１から８の何れか１項に記載の電池パック。
【発明の詳細な説明】
【技術分野】
【０００１】
本発明は、電池パックに関するものである。
【背景技術】
【０００２】
従来、下記特許文献１に開示されているように、電気機器側の電池パック搭載部に嵌合させるためのロック爪が筐体に設けられた電池パックが知られている。具体的に、図７及び図８に示すように、特許文献１に開示された電池パック８０は、ユーザーが操作するためのつまみ部８１と、電気機器側に嵌合させるためのロック爪８２とを備えている。つまみ部８１は筐体８３に形成された開口窓８４の内側に配設され、ロック爪８２は、開口窓８４から筐体８３外に進出可能となっている。一方、筐体８３内にはリブ８５が立設されており、このリブ８５は、ロック爪８２を外方へ向けて付勢するコイルばね８６が連結されている。なお、筐体８３内には、電池８７とプリント基板８８との間に基板ホルダー８９が配設されていて、プリント基板８８と電池８７とが絶縁されている。
【特許文献１】特許第３６０９７５７号公報
【発明の開示】
【発明が解決しようとする課題】
【０００３】
従来の電池パック８０では、コイルばね８６とプリント基板８８との間が完全には仕切られていないため、例えばロック爪８２の破損等により、コイルばね８６がフリーな状態になってしまうと、コイルばね８６が筐体８３内に入り込んでしまい、プリント基板８８での短絡原因となってしまう虞がある。またコイルばね８６が奥まで入り込まないとしても、開口窓８４を通して外部から異物が侵入するおそれがあるため、この異物が短絡原因となる虞もある。
【０００４】
そこで、本発明は、かかる点に鑑みてなされたものであり、その目的とするところは、筐体内に異物等が侵入できない構造を有する電池パックを提供することにある。
【課題を解決するための手段】
【０００５】
前記の目的を達成するため、本発明は、電池及び基板が収納される筐体に、操作部と、この操作部に連動して進退移動するロック爪とが設けられた電池パックであって、前記筐体の外面部から側面部に亘って形成され、前記操作部と前記ロック爪とが互いに連結された状態で前記ロック爪が前記側面部から突出可能に配設される凹部と、前記操作部及び前記ロック爪をガイドするガイド部と、を備えている電池パックである。
【０００６】
本発明では、筐体に凹部が形成されていてこの凹部内に操作部とロック爪とが配設されている。すなわち、筐体の外側に操作部とロック爪とが配設されている。そして、この凹部を通して筐体の外部と内部とが連通しない構造となっているため、異物等が筐体内に侵入することはない。したがって、異物等による基板での短絡を抑止することができる。しかも、筐体に直接凹部が形成された構成なので、操作部及びロック爪を配設するための部品点数が増大するのを抑制することができる。さらに、操作部及びロック爪が互いに連結された状態でガイド部によってガイドされる構成となっているので、操作部及びロック爪が筐体の外側に配設されていても、ロック操作を行うことができる。
【０００７】
ここで、前記ガイド部は、前記ロック爪の移動方向に交差する方向に対向する前記凹部の側壁間に架け渡されるブリッジ部を有し、前記ブリッジ部は前記操作部と前記ロック爪との間に挟み込まれるのが好ましい。この態様では、ブリッジ部によって操作部及びロック爪の双方をガイドすることができる。
【０００８】
この態様において、前記操作部及び前記ロック爪の一方に連結爪が設けられ、前記操作部及び前記ロック爪の他方に、前記連結爪を係合させる爪受け部が設けられ、前記連結爪は、前記ブリッジ部と前記凹部の側壁との間で前記爪受け部に係合されているのが好ましい。この態様では、ブリッジ部を操作部及びロック爪の抜け止めとしても機能させることができる。
【０００９】
さらに、前記操作部又は前記ロック爪には、前記ブリッジ部の厚みに対応した間隔を形成するためのリブが設けられているのが好ましい。この態様では、リブによって操作部とロック爪との間隔がブリッジ部の厚みに対応する間隔に維持されるので、操作部及びロック爪の動きをスムーズにすることができる。また、このリブによって操作部及びロック爪の移動量を規制することもできる。
【００１０】
本発明の電池パックにおいて、前記ガイド部は、前記ロック爪の移動方向に交差する方向に対向する前記凹部の側壁にそれぞれ突出する突起部を有し、前記ロック爪には前記突起部に係合する鍔部が設けられているのが好ましい。この態様では、ロック爪が突起部によってもガイドされるため、ロック爪の動きをさらに安定化させることができる。
【００１１】
また本発明の電池パックにおいて、前記ガイド部は、前記筐体に一体的に形成されているのが好ましい。この態様では、部品点数が増大するのをさらに抑制することができ、しかも部品の組み付け工数を削減することもできる。
【００１２】
また本発明の電池パックにおいて、前記ロック爪を前記側面部から突出する方向に付勢する付勢部材が設けられているのが好ましい。この態様では、付勢部材による力でロック爪を突出位置に戻すことができるので、ユーザーによる戻し忘れを防止することができ、電気機器側に対する電池パックの固定を確実なものにすることができる。しかも、ロック爪の破損等により、仮にばねがフリーな状態になったとしても、付勢部材が筐体に入り込むことがないので、付勢部材として、金属等の導電性を有する材質からなるばね等で構成することができる。このため低コスト化を図ることができる。
【００１３】
この態様において、前記ロック爪には、前記付勢部材を収容可能な収容溝が設けられているのが好ましい。この態様では、付勢部材が収容溝内に配設されるので、付勢部材の無駄な動きを規制でき、この結果、付勢部材の力を効率的にロック爪に伝えることができる。
【００１４】
さらに、前記凹部の側壁には、前記ロック爪の移動方向に延び、かつ前記収容溝に挿入される突部が設けられ、前記付勢部材は前記収容溝内でこの収容溝の壁部と前記突部との間に挟み込まれているのが好ましい。この態様では、ロック爪が移動した際にも付勢部材の力をより効果的にロック爪に伝えることができる。
【００１５】
本発明において、前記筐体は、細長い形状に構成されるとともに、その長手方向の両側に前記凹部及び前記ガイド部が設けられ、何れの凹部でも前記ロック爪が付勢部材によって側面部から突出する方向に付勢されているのが好ましい。この態様では、筐体が細長い形状に構成される場合であっても、その長手方向の両側で電子機器にロックされるので、電子機器に対して電池パックを安定させることができる。しかも両側ともロック爪が付勢部材によって突出方向に付勢されるため、ユーザーによる戻し忘れを防止することができ、電気機器側に対する電池パックの固定を確実なものにすることができる。
【発明の効果】
【００１６】
以上説明したように、本発明によれば、電池等が収容された筐体内に異物等が侵入することを防止することができる。
【発明を実施するための最良の形態】
【００１７】
以下、本発明を実施するための最良の形態について図面を参照しながら詳細に説明する。
【００１８】
図１は、本発明に係る電池パックの一実施形態を示している。本実施形態にかかる電池パック１０は、例えばノートパソコン等の電子機器に装着されて使用されるものであり、図１に示すように、この電池パック１０は筐体１２と操作部１４とロック爪１６とを備えている。
【００１９】
筐体１２は、樹脂製である。そして、筐体１２は、第１ケース片１８と第２ケース片１９とを互いに固着させて中空状に形成したものであり、全体として細長い形状に構成されている。筐体１２内には、複数本の電池２１（図３参照）や図略の保護回路基板等が収容されている。
【００２０】
筐体１２の長手方向の両端部には、電池パック１０を電子機器にロックするためのロック機構がそれぞれ設けられている。ロック機構は、前記ロック爪１６を筐体１２の側面部１２ａから突出させることで電池パック１０を電子機器側にロックするためのものである。以下、具体的に説明する。なお、以下の説明では、ロック機構は第１ケース片１８に設けられているものとする。
【００２１】
図２及び図３にも示すように、筐体１２には、外面部１２ｂと側面部１２ａとに亘って凹部２５が形成されている。ここでいう外面部１２ｂとは、電池パック１０が電子機器に装着された場合であっても外部に露出している面を指しており、本実施形態では図１における上面が外面部１２ｂに相当する。電池パック１０は、例えばこの外面部１２ｂが下側になるように電子機器に装着される。外面部１２ｂには、例えば電子機器の筐体に応じた塗装が施される場合もある。
【００２２】
一方、側面部１２ａとは、電池パック１０が電子機器に装着された場合に、電子機器の装着面と対向することで、外部に露出しない面であって、外面部１２ｂから繋がっている面を指している。本実施形態では、筐体１２の長手方向の端面が前記側面部１２ａに該当する。
【００２３】
ここで、操作部１４とロック爪１６の構成について先に説明する。操作部１４及びロック爪１６は何れも樹脂製である。図４に示すように、操作部１４は、矩形板状の操作部本体２８と、この操作部本体２８に一体的に設けられた一対の連結爪３０と、操作部本体２８に一体的に設けられたリブ３２とを備えている。操作部本体２８は、一方向に長い矩形状に構成されているが、操作部１４は、この操作部本体２８の長手方向が筐体１２の長手方向となるように凹部２５に配設される。なお、図４において、操作部本体２８の上側の面は、凹部２５に配設されたときに凹部２５内側に向き合う裏側面２８ａとなっている。
【００２４】
両連結爪３０は、操作部本体２８の略中央部に配設されており、操作部本体２８の裏側面２８ａから離れる方向に延出されている。そして、各連結爪３０は、それぞれ先端部に係合部３０ａが突設されている。
【００２５】
リブ３２は、操作部本体２８の裏側面２８ａに突設されている。リブ３２は、操作部本体２８の長手方向に延びる第１部３２ａと、この第１部３２ａと直交する方向に延びる第２部３２ｂとを有する。
【００２６】
ロック爪１６は、図５に示すように、略直方体形状の本体部３４と、この本体部３４の端部に設けられた爪部３５とを有する。ロック爪１６は、本体部３４の下面が凹部２５の底面と向き合い、かつ爪部３５が筐体１２の側面部１２ａ側になるように凹部２５に配設される。なお、図５では、本体部３４の下面３４ａが上を向いていた状態で示されている。
【００２７】
本体部３４には、連結爪３０の係合部３０ａを係合させるための爪受け部３７が設けられている。具体的には、本体部３４には、その厚み方向に貫通する一対の貫通孔３４ｂが形成されている。そして、この貫通孔３４ｂの幅方向外側の本体部３４は、下面３４ａ側の部位が除去されることで薄肉の部位となっている。この薄肉の部位が爪受け部３７である。各連結爪３０は、それぞれ図５の下側（上面側）から貫通孔３４ｂに挿通され、連結爪３０の係合部３０ａは爪受け部３７に係合される。これによりロック爪１６と操作部１４が連結される。この状態で、操作部本体２８とロック爪１６の本体部３４との間にはリブ３２の高さに相当する間隙が形成される。
【００２８】
また、本体部３４には、下面３４ａに沿ってばね収容溝３９が形成されている。ばね収容溝３９は、爪部３５と反対側の端部から本体部３４の長手方向に延びている。
【００２９】
ばね収容溝３９の端部には、本体部３４の厚み方向に貫通する貫通部３９ａが形成されている。貫通部３９ａの壁部には、ばね保持部４１が突設されている。ばね保持部４１は、ばね収容溝３９の長手方向に延出されている。
【００３０】
さらにまた、本体部３４には、鍔部４３が形成されている。鍔部４３は、本体部３４における爪部３５と反対側の端部に設けられているが、この鍔部４３は、当該端部における上面側の部位を除去することで下面３４ａ側に残された部位である。
【００３１】
続いて、図２及び図３に戻り、凹部２５の構成について説明する。凹部２５は、外面部１２ｂにおける長手方向の端部から側面部１２ａにおける外面部１２ｂ側の端部に亘って形成されている。凹部２５は、操作部１４が配設される第１凹部４６と、この第１凹部４６の底面から更に凹んだ第２凹部４７とからなる。第２凹部４７にはロック爪１６が配設される。
【００３２】
第１凹部４６は、外面部１２ｂから僅かに凹んだ凹部であり、平面視で、筐体１２の長手方向に長い矩形状に形成されている。この第１凹部４６の深さは操作部本体２８の厚みに対応した深さとなっている。
【００３３】
第２凹部４７は、第１凹部４６の底面の外周部を残して、この第１凹部４６の底面から凹むように形成されている。このため、第２凹部４７は、平面視で第１凹部４６よりも一回り小さな矩形状に形成されている。これにより、第１凹部４６の底面上に操作部本体２８が載置可能となっている。
【００３４】
第１凹部４６の幅（筐体１２の幅方向の長さ）は、操作部本体２８の幅に対応している。このため、操作部本体２８の幅方向の側面は、第１凹部４６の幅方向の側面と摺接する。またリブ３２の第１部３２ａは第２凹部４７の幅方向の側面と摺接する。また第１凹部４６の長さ（筐体１２の長手方向の長さ）は、操作部本体２８の長さよりも長くなっている。これにより、操作部１４は、筐体１２の長手方向に移動が可能であるが、筐体１２の幅方向の移動が規制される。そして、操作部本体２８の長手方向の一側面は、第１凹部４６の奥側の側面と当接可能となっている。
【００３５】
第２凹部４７には、その長手方向に移動可能にロック爪１６が配設される。ロック爪１６は前述したように爪部３５が筐体１２の側面部１２ａ側になる姿勢で配設され、ロック爪１６は爪部３５が筐体１２の側面部１２ａから突出した突出位置と、爪部３５が側面部１２ａから引っ込んだ収納位置との間で往復移動可能となっている。
【００３６】
第２凹部４７の幅（筐体１２の幅方向の長さ）は、ロック爪１６の本体部３４の幅及び鍔部４３の幅に対応している。このため、本体部３４の幅方向の側面及び鍔部４３の幅方向の側面は、第２凹部４７の幅方向の側面と摺接する。
【００３７】
第２凹部４７の底面には本体部３４の下面３４ａが摺接する。このため、第２凹部４７の底面とばね収容溝３９との間に空間が形成される。なお、第２凹部４７の底面の大部分は平面状となっているが、筐体１２の側面部１２ａ近傍の一部は傾斜状に凹んだ形状となっている（図３参照）。これはロック爪１６の爪部３５の形状に合わせたものである。このため、側面部１２ａ側から見ると、凹部２５は五角形状に開口しているように見える。また、底面の平面状になっている部分はその中間部に僅かに段差が形成されている。
【００３８】
第２凹部４７内には、付勢部材としてのコイルばね４９が配設されている。このコイルばね４９は、第２凹部４７の底面とばね収容溝３９とによって形成される空間内に配設されている。そして、コイルばね４９の一端部は、ロック爪１６の本体部３４に設けられたばね保持部４１に保持されている。
【００３９】
図１及び図２に示すように、筐体１２には、ガイド部５１が設けられている。ガイド部５１は、操作部１４及びロック爪１６をガイドするためのものであり、ブリッジ部５２と突起部５３とを有する。ブリッジ部５２は、第１ケース片１８と一体的に形成されるものであり、第２凹部４７の対向側壁に架け渡されている。具体的に、ブリッジ部５２は、筐体１２の幅方向（筐体１２の長手方向に直交する方向）に対向する第２凹部４７の側壁において、その側面部１２ａ側の端部における上端部間に架設されている。言い換えると、ブリッジ部５２は、ロック爪１６の移動方向に交差する方向に対向する凹部２５の側壁間に架け渡されている。
【００４０】
ブリッジ部５２の厚みは操作部１４のリブ３２の高さとほぼ同じである。このため、操作部本体２８とロック爪１６の本体部３４との間の間隙は、ブリッジ部５２の厚みに相当し、操作部本体２８とロック爪１６の本体部３４とによってブリッジ部５２を挟み込むことができるようになっている。
【００４１】
ブリッジ部５２の外面（上面）は、第１凹部４６の底面に滑らかにつながっており、操作部１４がスライドするのを妨げないようになっている。但し、ブリッジ部５２の外面における側面部１２ａ側の端部５２ａは、第１凹部４６の底面から起立しており、この端部５２ａは筐体１２の外面部１２ｂと面一の状態に形成されている。これにより、操作部１４の移動範囲が規制されている。
【００４２】
ブリッジ部５２の存在により、凹部２５の開口面は、外面部１２ｂ側の開口面（第１開口面）５５と側面部１２ａ側の開口面（第２開口面）５６とに仕切られている。そして、操作部１４のリブ３２、連結爪３０が第１開口面５５に挿通されていて、連結爪３０は第１開口面５５を通してロック爪１６の爪受け部３７に嵌合されている。一方、ロック爪１６はブリッジ部５２の下側となる第２開口面５６に挿通されており、爪部３５が第２開口面５６を通して外方に突出可能となっている。なお、操作部本体２８がブリッジ部５２の側面部１２ａ側の端部５２ａに当接した突設位置にある状態で、リブ３２の第２部３２ｂはブリッジ部５２の側面に当接してもよく、あるいは当接しないようになっていてもよい。
【００４３】
突起部５３は、第１ケース片１８と一体的に形成されるものであり、第２凹部４７内に設けられている。突起部５３は、図６にも示すように、筐体１２の幅方向に対向する第２凹部４７の側壁にそれぞれ設けられている。すなわち、突起部５３は、ロック爪１６の移動方向に直交する方向に側壁から突出している。
【００４４】
突起部５３は、ロック爪１６の移動方向に見て略三角形状に形成されており、突起部５３と第２凹部４７の底面との間には、間隙が形成されている。この間隙には、ロック爪１６の鍔部４３が挿入されている。鍔部４３は、ロック爪１６が突出位置及び収納位置の何れにあるときにもこの間隙内に挿通されている。すなわち、ロック爪１６は、移動に際し、突起部５３によっても上下方向の移動が規制されている。
【００４５】
第２凹部４７には、ばね押えとしても機能する突部５８が設けられている。この突部５８は、第２凹部４７における筐体１２側面部１２ａと反対側の側壁から側面部１２ａに向かって突出しており、ロック爪１６の移動に伴ってばね収容溝３９に挿入されるようになっている。コイルばね４９は、この突部５８とばね収容溝３９の貫通部３９ａにおける周壁との間に配設されている。
【００４６】
ブリッジ部５２、突起部５３及び突部５８を第１ケース片１８に一体的に形成するには、第１ケース片１８の成形金型（図示省略）においてスライドを進退移動させることによってなされる。すなわち、成形金型は、互いに付け合せることによって第１ケース片１８を形成するキャビティが設けられた上型及び下型からなる。上型は、第１ケース片１８の外面部１２ｂ及び側面部１２ａを成形するとともに、第１凹部４６を成形するための成形部が設けられている。また、上型には、筐体１２の長手方向に進退移動可能なスライドが設けられ、このスライドの移動によって、ブリッジ部５２、突起部５３及び突部５８が成形されるようになっている。一方、下型には、第１ケース片１８の内側面を成形するための成形部が設けられている。
【００４７】
この成形された第１ケース片１８に操作部１４及びロック爪１６を組み付けるには、まず、ロック爪１６のばね収容溝３９にコイルばね４９を挿入するとともに、その一端部をばね保持部４１に嵌める。そして、このロック爪１６を第２開口面５６から第２凹部４７内に挿入する。このとき、ロック爪１６の本体部３４の鍔部４３が突起部５３と第２凹部４７の底面との間に挿通するようにロック爪１６を奥側に向かって移動させ、コイルばね４９の他端部を第２凹部４７の突部５８に当接させる。
【００４８】
続いて、操作部１４をロック爪１６に連結させる。すなわち、操作部１４の連結爪３０をロック爪１６の本体部３４の貫通孔３４ｂに挿入するとともに、連結爪３０の係合部３０ａを爪受け部３７に係合させる。このとき、操作部１４のリブ３２が凹部２５の第１開口面５５内に入り込み、操作部本体２８とロック爪１６の本体部３４とによってブリッジ部５２が挟み込まれる。これにより、操作部１４及びロック爪１６が互いに連結され、かつロック爪１６が筐体１２の側面部１２ａから突出した状態に組み付けられたことになる。
【００４９】
以上説明したように、本実施形態によれば、電池２１や保護回路基板等を収納するための筐体１２に凹部２５が形成されていてこの凹部２５内に操作部１４とロック爪１６とが配設されている。すなわち、筐体１２の外側に操作部１４とロック爪１６とが配設されている。そして、筐体１２の内部と凹部２５内の空間とが、凹部２５の底面及び側壁によって仕切られ、この凹部２５を通して筐体１２の外部と内部とが連通しない構造となっている。このため、異物等が筐体１２内に侵入することはない。したがって、異物等による保護回路基板での短絡を抑止することができる。しかも、筐体１２に直接凹部２５が形成された構成なので、操作部１４及びロック爪１６を配設するための部品点数が増大するのを抑制することができる。さらに、操作部１４及びロック爪１６が互いに連結された状態でガイド部５１によってガイドされる構成となっているので、操作部１４及びロック爪１６が筐体１２の外側に配設されていても、ロック操作を行うことができる。
【００５０】
また本実施形態では、筐体１２にブリッジ部５２が設けられ、このブリッジ部５２が操作部１４とロック爪１６との間に挟み込まれる構成となっているので、ブリッジ部５２によって操作部１４及びロック爪１６の双方をガイドすることができる。
【００５１】
しかも本実施形態では、操作部１４の連結爪３０がブリッジ部５２と凹部２５の側壁との間で爪受け部３７に係合されるようになっているので、ブリッジ部５２を操作部１４及びロック爪１６の抜け止めとしても機能させることができる。
【００５２】
さらに本実施形態では、操作部１４にリブ３２が設けられているので、リブ３２によって操作部１４とロック爪１６との間隔がブリッジ部５２の厚みに対応する間隔に維持される。このため、操作部１４及びロック爪１６の動きをスムーズにすることができ、また、リブ３２によって操作部１４及びロック爪１６の移動量を規制することもできる。
【００５３】
また本実施形態では、凹部２５に突起部５３が設けられ、この突起部５３の下側に鍔部４３が挿入される構成としているので、ロック爪１６が突起部５３によってもガイドされる。このため、ロック爪１６の動きをさらに安定化させることができる。
【００５４】
また本実施形態では、ブリッジ部５２及び突起部５３が筐体１２に一体的に形成されているので、部品点数が増大するのをさらに抑制することができ、しかも部品の組み付け工数を削減することもできる。
【００５５】
また本実施形態では、ロック爪１６を側面部１２ａから突出する方向に付勢するコイルばね４９が設けられているため、そのばね力でロック爪１６を突出位置に戻すことができる。このため、ユーザーによる戻し忘れを防止することができ、電気機器側に対する電池パック１０の固定を確実なものにすることができる。しかも、ロック爪１６の破損等により、仮にばねがフリーな状態になったとしても、コイルばね４９が筐体１２に入り込むことがないので、コイルばね４９として、金属等の導電性を有する材質で構成することができる。このため低コスト化を図ることができる。
【００５６】
また本実施形態では、ロック爪１６のばね収容溝３９にコイルばね４９が収容されるので、コイルばね４９の無駄な動きを規制でき、この結果、コイルばね４９の力を効率的にロック爪１６に伝えることができる。
【００５７】
しかも本実施形態では、凹部２５の側壁に突部５８が設けられ、この突部５８とばね収容溝３９の壁部との間にコイルばね４９が挟み込まれているので、ロック爪１６が移動した際にもコイルばね４９の力をより効果的にロック爪１６に伝えることができる。
【００５８】
また本実施形態では、筐体１２の両側のロック機構において、ロック爪１６がコイルばね４９で突出位置に付勢されているので、ユーザーによる戻し忘れを防止することができ、電気機器側に対する電池パック１０の固定を確実なものにすることができる。また、筐体１２の長手方向の両側で電子機器にロックされるので、電子機器に対して電池パック１０を安定させることができる。
【００５９】
なお、本発明は、前記実施形態に限られるものではなく、その趣旨を逸脱しない範囲で種々変更、改良等が可能である。例えば、操作部１４及びロック爪１６を金属製にしてもよい。
【００６０】
また本実施形態では操作部１４にリブ３２が設けられる構成としたが、この構成に代え、ロック爪１６にリブ３２が設けられていてもよい。
【００６１】
また本実施形態では突起部５３が一対の構成としたが、一方のみが設ける構成としてもよい。
【図面の簡単な説明】
【００６２】
【図１】本発明の実施形態にかかる電池パックの斜視図である。
【図２】第１ケース片を部分的に示す斜視図である。
【図３】前記第１ケース片の一部を破断した状態で示す前記電池パックの部分斜視図である。
【図４】操作部の斜視図である。
【図５】ロック爪の斜視図である。
【図６】前記電池パックの断面図である。
【図７】従来の電池パックの斜視図である。
【図８】従来の電池パックの断面図である。
【符号の説明】
【００６３】
１２    筐体
１２ａ  側面部
１２ｂ  外面部
１４    操作部
１６    ロック爪
２１    電池
２５    凹部
３０    連結爪
３０ａ  係合部
３２    リブ
３７    爪受け部
３９    ばね収容溝
４３    鍔部
４９    コイルばね（付勢部材の一例）
５１    ガイド部
５２    ブリッジ部
５３    突起部
５８    突部
【図１】
2009032613.tif 000003
【図２】
2009032613.tif 000004
【図３】
2009032613.tif 000005
【図４】
2009032613.tif 000006
【図５】
2009032613.tif 000007
【図６】
2009032613.tif 000008
【図７】
2009032613.tif 000009
【図８】
2009032613.tif 000010